(57)【要約】      （修正有）【課題】信号の伝達の品質と、良好な電気特性を確保することが可能な、電気接地接続装置を提供する。【解決手段】同軸空心の内、外スリーブ２５と、ナット２８と、導電接地バネ３０とによって構成される。内スリーブ２１の前端には外凸縁２２を有し、外凸縁の内部には環状凹溝２４を有し、ナットの内部にはネジ山部２８１と収容溝２８２を有し、ネジ山部は、電子装置のネジインターフェイス接続装置と連結され、収容溝は内スリーブの外凸縁を収容する。導電接地バネは、内スリーブの環状凹溝内に配置され、ナットのネジ山部を電子装置のネジインターフェイス接続装置に螺合する際、導電接地バネの複数の弾性内弧部とネジインターフェイス接続装置の周囲辺縁は、機械的且つ電気的に連結される。【選択図】図２
0003160932.tif 000002
【実用新案登録請求の範囲】
【請求項１】
同軸ケーブルを、電子装置のネジインターフェイス接続装置に、機械的且つ電気的に連結させる電気接地接続装置において、
前記電気接地接続装置は、同軸空心の内、外スリーブと、ナットと、導電接地バネとによって構成され、
前記内スリーブの前端は外凸縁を有し、前記外凸縁の内部は環状凹溝を有し、    
前記ナット内部は、電子装置のネジインターフェイス接続装置と連結されるねじ山部と、前記内スリーブの外凸縁を収容する収容溝とを具え、
前記導電接地バネは、内スリーブの環状凹溝に配置され、前記導電接地バネは、複数の弾性内弧部を有し、電子装置のネジインターフェイス接続装置の周囲の辺縁と、機械的に且つ電気的に緊密に連結されることを特徴とする電気接地接続装置。
【請求項２】
前記導電接地バネは、前、後環状端部と複数の内弧形部が一体成形してなり、前記弾性弧形部は前、後環状端部の間に形成されることを特徴とする、請求項１に記載の電気接地接続装置。
【請求項３】
前記導電接地バネは、環状本体と弾性内弧部が一体成形してなり、各前記弾性内弧部は、環状本体の末端から内側に湾曲してなることを特徴とする、請求項１に記載の電気接地接続装置。
【考案の詳細な説明】
【技術分野】
【０００１】
本考案は接続装置に関し、より詳しくは、接地効果をもつ電気接続装置に関する。
【背景技術】
【０００２】
同軸ケーブル接続装置は、誰もが知っている知識である。典型的な同軸ケーブル接続装置は、ネジインターフェイス接続装置をもつ電子装置に接続され、同軸ケーブルと各種電子装置は電気的に一体になる。
【０００３】
従来の同軸ケーブル用の接続装置はいくつかの欠点がある。同軸接続装置の主な作用は、接続装置本体と、インターフェイス接続装置の間に良好な接地接触を保障することである。同軸接続装置の従来技術の問題点は、接続装置本体の接地性の良し悪しに関わってくる。即ち、接続装置本体とインターフェイス接続装置間の接地性である。図１に示すＦ型の接続装置は、従来の接続装置の代表的な実施例である。Ｆ型の接続装置は接続装置本体１０を含み、接続装置本体１０は、外スリーブ１１と、外スリーブ１１内に同軸で配置される内スリーブ１２と、内スリーブ１２の周囲に配置される回転可能なナット１３とを含む。接続装置本体１０は、同軸ケーブルを電子装置１４のネジインターフェイス接続装置１５に、機械的且つ電気的に連結させることができる。
【０００４】
Ｆ型の接続装置本体１０とネジインターフェイス接続装置１５は、連結させる上で一つの問題がある。それは、ナット１３をネジインターフェイス接続装置１５に完全に連結させることができず、内スリーブ１２とネジインターフェイス接続装置１５の間に、接触していない隙間Ｓが生じ、隙間Ｓによって、接続装置本体１０とネジインターフェイス接続装置１５の接地性が悪くなり、電気信号の伝達性能が下がる。従って、その間の接触不良は克服する必要がある。
【０００５】
従って、現在必要とされている接続装置は、接続装置本体とネジインターフェイス接続装置の間の接地接触を効果的に且つ長期的に保障し、良好な電気特性を確保することができるものである。
【考案の概要】
【考案が解決しようとする課題】
【０００６】
本考案は、内スリーブ内に設けられた導電接地バネと、ナットのネジ山部によって電子装置のネジインターフェイス接続装置の間に強固な接地接触が行われ、信号の伝達の品質と、良好な電気特性を確保することが可能な、電気接地接続装置を提供することを目的とする。
【課題を解決するための手段】
【０００７】
上述の目的と効果を達成するために、本考案による電気接地接続装置は、同軸空心の内、外スリーブと、ナットと、導電接地バネとによって構成される。内スリーブの前端には外凸縁を有し、外凸縁の内部には環状凹溝を有し、ナットの内部にはネジ山部と収容溝を有し、ネジ山部は、電子装置のネジインターフェイス接続装置と連結され、収容溝は内スリーブの外凸縁を収容する。導電接地バネは、内スリーブの環状凹溝内に配置され、ナットのネジ山部を電子装置のネジインターフェイス接続装置に螺合する際、導電接地バネの複数の弾性内弧部とネジインターフェイス接続装置の周囲辺縁は、機械的且つ電気的に連結される。
【図面の簡単な説明】
【０００８】
【図１】従来の同軸接続装置と電子装置のネジインターフェイス接続装置がまだ完全に連結されていない状態を示した断面図である。
【図２】本考案の実施例１による電気接地接続装置を示した斜視断面図である。
【図３】本考案の実施例１による電気接地接続装置を示した断面図である。
【図４】本考案の実施例１による導電接地バネを示した斜視図である。
【図５】本考案の実施例１による導電接地バネの左側方を示した説明図である。
【図６】本考案の実施例１による電気接地接続装置を電子装置のネジインターフェイス接続装置に連結した状態を示した断面図である。
【図７】本考案の実施例２による電気接地接続装置を示した断面図である。
【図８】本考案の実施例２による導電接地バネを示した斜視図である。
【図９】図７の電気接地接続装置を電子装置のネジインターフェイス接続装置に連結した状態を示した断面図である。
【考案を実施するための形態】
【０００９】
以下、添付図面を参照して本考案の実施の形態を詳細に説明する。
【実施例１】
【００１０】
図２、図３は、本考案の実施例１による電気接地接続装置の斜視断面図と断面図である。電気接地接続装置２０は、内スリーブ２１、外スリーブ２５と、導電接地バネ３０とを含む。その内、内スリーブ２１の前端は外凸縁２２を有し、後端延伸箇所２３の外径と壁厚は外凸縁２２より小さい。外凸縁２２の内部には、導電接地バネ３０を収容するための環状凹溝２４を有し、環状凹溝２４の前端は環状係止部２４１を有し、導電接地バネ３０を環状凹溝２４内に配置させることができる。外スリーブ２５の前端には内スリーブ２１を囲繞する内凹縁２６を有し、後端延伸箇所２７の外径と壁厚は内凹縁２６より小さく、また、後端延伸箇所２７は、内スリーブ２１の後端延伸箇所２３と同心囲繞関係を形成し、中間は環状の空心である。電気接地接続装置２０の前端にはナット２８が設けられ、その末端は、ローラー方式で、内スリーブ２１の外凸縁２２と連結され、内スリーブ２１の外凸縁２２上で自由に回転させることができる。ナット２８の内部には、ネジ山部２８１と収容溝２８２を有し、ネジ山部２８１は、電子装置のネジインターフェイス接続装置上に螺合することができ、収容溝２８２は内スリーブ２１の外凸縁２２を収容することができる。実際上は、ナット２８には、Ｆ型、ＴＮＣ型、ＳＭＡ型、Ｎ型などの接続インターフェイスを用いることができる。
【００１１】
図４と図５に示すように、導電接地バネ３０は、内スリーブ２１の環状凹溝２４の内表面と接触する前環状端部３１及び後環状端部３２と、前、後環状端部３１、３２と一体成形する複数のシート状弾性内弧部３３とを含む。複数の弾性内弧部３３は、等間隔で、前、後環状端部３１、３２の間に形成される。導電接地バネ３０の長さは、環状凹溝２４より短い。
【００１２】
各弾性内弧部３３と電子装置４０のネジインターフェイス接続装置４１は、機械的、電気的に連結される（図６に図示）。
【００１３】
図６に示すように、電気接地接続装置２０のナット２８を電子装置のネジインターフェイス接続装置４１に螺合する時、導電接地バネ３０の各弾性内弧部３３は、ネジインターフェイス接続装置４１によって螺旋状に押され、その間がくっついて連結され、内スリーブ２１とネジインターフェイス接続装置４１の機械的且つ電気的な連結が、効果的に且つ長期的に保障され、しかも、良好な接地接触が行われ、信号の伝達の品質と良好な電気特性を確保することができる。
【００１４】
図７と図８は、本考案の実施例２による電気接地接続装置５０である。その構成部材は、図２、図３の実施例１と同様であるが、その異なる点は、導電接地バネ５１の構造である。導電接地バネ５１は、内スリーブ２１の環状凹溝２４の内表面と接触する環状本体５２と、環状本体５２と一体成形する複数のシート状弾性内弧部５３とを含む。複数の弾性内弧部５３は、等間隔で、環状本体５２の周囲に形成される。
【００１５】
弾性内弧部５３は、環状本体５２の末端から内側に湾曲してなり、それにより、各弾性内弧部５３は、ネジインターフェイス接続装置４１によって螺旋状に押され、その間がくっついて連結される（図９に図示）。
【符号の説明】
【００１６】
２０    電気接地接続装置
２１    内スリーブ
２２    外凸縁
２３    後端延伸箇所
２４    環状凹溝
２４１  環状係止部
２５    外スリーブ
２６    内凹縁
２７    後端延伸箇所
２８    ナット
２８１  ネジ山部
２８２  収容溝
３０    導電接地バネ
３１    前環状端部
３２    後環状端部
３３    弾性内弧部
４０    電子装置
４１    ネジインターフェイス接続装置
５０    電気接地接続装置
５１    導電接地バネ
５２    環状本体
５３    弾性内弧部
【図１】
0003160932.tif 000003
【図２】
0003160932.tif 000004
【図３】
0003160932.tif 000005
【図４】
0003160932.tif 000006
【図５】
0003160932.tif 000007
【図６】
0003160932.tif 000008
【図７】
0003160932.tif 000009
【図８】
0003160932.tif 000010
【図９】
0003160932.tif 000011
【手続補正書】
【提出日】平成22年5月10日(2010.5.10)
【手続補正１】
【補正対象書類名】実用新案登録請求の範囲
【補正対象項目名】請求項２
【補正方法】変更
【補正の内容】
【請求項２】
前記導電接地バネは、前、後環状端部と複数の内弧形部が一体成形してなり、前記弾性内弧部は前、後環状端部の間に形成されることを特徴とする、請求項１に記載の電気接地接続装置。